(57)【要約】【課題】高速パケット通信において、多重化するデータユニットのサイズを示す情報によるオーバヘッドの増加を軽減することを可能とする。【解決手段】  送信機１０が、ＭＡＣレイヤにおいて、ＲＬＣレイヤから受信したＭＡＣ-ＳＤＵと制御情報とパディング情報のいずれかである情報要素を多重してＭＡＣ-ＰＤＵを生成するＭＡＣ-ＰＤＵ生成部１２と、生成されたＭＡＣ-ＰＤＵを送信するＭＡＣ-ＰＤＵ送信部１３とを具備し、ＭＡＣ-ＰＤＵ生成部１２は、ＭＡＣ-ＰＤＵに複数の情報要素を多重化する場合、複数の情報要素のサイズを示すＬＩを含むＭＡＣヘッダを付与し、ＭＡＣヘッダに含まれるＬＩの数は、多重化されている情報要素の数よりも１つ少ない。【選択図】図４
2010206839.tif 000002
【特許請求の範囲】
【請求項１】
第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、
生成された前記第１データユニットを送信するように構成されている第１データユニット送信部とを具備し、
前記第１データユニット生成部は、前記第１データユニットに、複数の情報要素を多重化する場合、多重化される該情報要素のサイズを示す情報要素サイズ情報を含むヘッダ情報を付与するように構成されており、
前記ヘッダ情報に含まれる前記情報要素サイズ情報の数は、多重化されている前記情報要素の数よりも１つ少ないことを特徴とする送信機。
【請求項２】
前記第1レイヤは、ＭＡＣレイヤであり、
前記第１レイヤの上位レイヤは、ＲＬＣレイヤであり、
前記上位レイヤデータユニットは、ＭＡＣ-ＳＤＵであり、
前記第１データユニットは、ＭＡＣ-ＰＤＵであり、
前記ヘッダ情報は、ＭＡＣヘッダであり、
前記第１データユニット生成部は、前記ＭＡＣ-ＰＤＵに、複数のＭＡＣ-ＳＤＵを多重化する場合、多重化される該ＭＡＣ-ＳＤＵの数よりも１つ少ない数の前記情報要素サイズ情報を、前記ＭＡＣヘッダに含めるように構成されていることを特徴とする請求項１に記載の送信機。
【請求項３】
第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、
生成された前記第１データユニットを送信するように構成されている第１データユニット送信部とを具備し、
前記第１データユニット生成部は、前記第１データユニットに、１つの上位レイヤデータユニットのみを多重化する場合、前記ヘッダ情報内に、前記情報要素サイズ情報を含めないように構成されていることを特徴とする送信機。
【請求項４】
第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、
生成された前記第１データユニットを送信するように構成されている第１データユニット送信部とを具備し、
前記第１データユニット生成部は、前記第１データユニットに、１つの制御情報及び１つのパディング情報のみを多重化する場合、前記ヘッダ情報内に、前記情報要素サイズ情報を含めないように構成されていることを特徴とする送信機。
【請求項５】
第１レイヤの下位レイヤから、第１データユニットのサイズを示す第１データユニットサイズ情報を取得するように構成されている第１データユニットサイズ情報取得部と、
前記第１レイヤにおいて受信した前記第１データユニットのヘッダ情報に含まれている情報要素サイズ情報及び取得した前記第１データユニットサイズ情報に基づいて、前記第１データユニットに多重化されている情報要素のサイズを検出するように構成されているヘッダ情報解析部と、
検出された前記情報要素のサイズに基づいて、前記第１データユニットから前記情報要素を抽出するように構成されている抽出部とを具備し、
前記情報要素サイズ情報は、上位レイヤデータユニット、制御情報、パディング情報のいずれかである情報要素のサイズを示し、
前記ヘッダ情報に含まれる前記情報要素サイズ情報の数は、前記第１データユニットに多重化されている前記情報要素の数よりも１つ少ないことを特徴とする受信機。
【請求項６】
第１レイヤの下位レイヤから、第１データユニットのサイズを示す第１データユニットサイズ情報を取得するように構成されている第１データユニットサイズ情報取得部と、
前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの上位レイヤデータユニットのサイズを検出するように構成されているヘッダ情報解析部と、
検出された前記上位レイヤデータユニットのサイズに基づいて、前記第１データユニットから前記上位レイヤデータユニットを抽出するように構成されている抽出部とを具備し、
前記情報要素サイズ情報は、上位レイヤデータユニット、制御情報、パディング情報のいずれかである情報要素のサイズを示し、
前記ヘッダ情報に含まれる前記情報要素サイズ情報の数は、前記第１データユニットに多重化されている前記情報要素の数よりも１つ少ないことを特徴とする受信機。
【請求項７】
第１レイヤの下位レイヤから、第１データユニットのサイズを示す第１データユニットサイズ情報を取得するように構成されている第１データユニットサイズ情報取得部と、
前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの制御情報のサイズ及び１つのパディング情報のサイズの少なくともいずれかを検出するように構成されているヘッダ情報解析部と、
検出された前記サイズに基づいて、前記第１データユニットから前記制御情報を抽出するように構成されている抽出部とを具備し、
前記情報要素サイズ情報は、上位レイヤデータユニット、制御情報、パディング情報のいずれかである情報要素のサイズを示し、
前記ヘッダ情報に含まれる前記情報要素サイズ情報の数は、前記第１データユニットに多重化されている前記情報要素の数よりも１つ少ないことを特徴とする受信機。
【請求項８】
第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、
生成された前記第１データユニットを送信するように構成されている第１データユニット送信部とを具備し、
前記第１データユニット生成部は、前記第１データユニットに、複数の情報要素を多重化する場合、多重化される該情報要素のサイズを示す情報要素サイズ情報を含むヘッダ情報を付与するように構成されており、
前記ヘッダ情報に含まれる前記情報要素サイズ情報の数は、多重化されている前記情報要素の数よりも１つ少ないことを特徴とする移動局。
【請求項９】
第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、
生成された前記第１データユニットを送信するように構成されている第１データユニット送信部とを具備し、
前記第１データユニット生成部は、前記第１データユニットに、１つの上位レイヤデータユニットのみを多重化する場合、前記ヘッダ情報内に、前記情報要素サイズ情報を含めないように構成されていることを特徴とする移動局。
【請求項１０】
第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、
生成された前記第１データユニットを送信するように構成されている第１データユニット送信部とを具備し、
前記第１データユニット生成部は、前記第１データユニットに、１つの制御情報及び１つのパディング情報のみを多重化する場合、前記ヘッダ情報内に、前記情報要素サイズ情報を含めないように構成されていることを特徴とする移動局。
【請求項１１】
第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、
生成された前記第１データユニットを送信するように構成されている第１データユニット送信部とを具備し、
前記第１データユニット生成部は、前記第１データユニットに、複数の情報要素を多重化する場合、多重化される該情報要素のサイズを示す情報要素サイズ情報を含むヘッダ情報を付与するように構成されており、
前記ヘッダ情報に含まれる前記情報要素サイズ情報の数は、多重化されている前記情報要素の数よりも１つ少ないことを特徴とする無線基地局。
【請求項１２】
第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、
生成された前記第１データユニットを送信するように構成されている第１データユニット送信部とを具備し、
前記第１データユニット生成部は、前記第１データユニットに、１つの上位レイヤデータユニットのみを多重化する場合、前記ヘッダ情報内に、前記情報要素サイズ情報を含めないように構成されていることを特徴とする無線基地局。
【請求項１３】
第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、
生成された前記第１データユニットを送信するように構成されている第１データユニット送信部とを具備し、
前記第１データユニット生成部は、前記第１データユニットに、１つの制御情報及び１つのパディング情報のみを多重化する場合、前記ヘッダ情報内に、前記情報要素サイズ情報を含めないように構成されていることを特徴とする無線基地局。
【請求項１４】
第１レイヤの下位レイヤから、第１データユニットのサイズを示す第１データユニットサイズ情報を取得するように構成されている第１データユニットサイズ情報取得部と、
前記第１レイヤにおいて受信した前記第１データユニットのヘッダ情報に含まれている情報要素サイズ情報及び取得した前記第１データユニットサイズ情報に基づいて、前記第１データユニットに多重化されている情報要素のサイズを検出するように構成されているヘッダ情報解析部と、
検出された前記情報要素のサイズに基づいて、前記第１データユニットから前記情報要素を抽出するように構成されている抽出部とを具備し、
前記情報要素サイズ情報は、上位レイヤデータユニット、制御情報、パディング情報のいずれかである情報要素のサイズを示し、
前記ヘッダ情報に含まれる前記情報要素サイズ情報の数は、前記第１データユニットに多重化されている前記情報要素の数よりも１つ少ないことを特徴とする移動局。
【請求項１５】
第１レイヤの下位レイヤから、第１データユニットのサイズを示す第１データユニットサイズ情報を取得するように構成されている第１データユニットサイズ情報取得部と、
前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの上位レイヤデータユニットのサイズを検出するように構成されているヘッダ情報解析部と、
検出された前記上位レイヤデータユニットのサイズに基づいて、前記第１データユニットから前記上位レイヤデータユニットを抽出するように構成されている抽出部とを具備し、
前記情報要素サイズ情報は、上位レイヤデータユニット、制御情報、パディング情報のいずれかである情報要素のサイズを示し、
前記ヘッダ情報に含まれる前記情報要素サイズ情報の数は、前記第１データユニットに多重化されている前記情報要素の数よりも１つ少ないことを特徴とする移動局。
【請求項１６】
第１レイヤの下位レイヤから、第１データユニットのサイズを示す第１データユニットサイズ情報を取得するように構成されている第１データユニットサイズ情報取得部と、
前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの制御情報のサイズ及び１つのパディング情報のサイズの少なくともいずれかを検出するように構成されているヘッダ情報解析部と、
検出された前記サイズに基づいて、前記第１データユニットから前記制御情報を抽出するように構成されている抽出部とを具備し、
前記情報要素サイズ情報は、上位レイヤデータユニット、制御情報、パディング情報のいずれかである情報要素のサイズを示し、
前記ヘッダ情報に含まれる前記情報要素サイズ情報の数は、前記第１データユニットに多重化されている前記情報要素の数よりも１つ少ないことを特徴とする移動局。
【請求項１７】
第１レイヤの下位レイヤから、第１データユニットのサイズを示す第１データユニットサイズ情報を取得するように構成されている第１データユニットサイズ情報取得部と、
前記第１レイヤにおいて受信した前記第１データユニットのヘッダ情報に含まれている情報要素サイズ情報及び取得した前記第１データユニットサイズ情報に基づいて、前記第１データユニットに多重化されている情報要素のサイズを検出するように構成されているヘッダ情報解析部と、
検出された前記情報要素のサイズに基づいて、前記第１データユニットから前記情報要素を抽出するように構成されている抽出部とを具備し、
前記情報要素サイズ情報は、上位レイヤデータユニット、制御情報、パディング情報のいずれかである情報要素のサイズを示し、
前記ヘッダ情報に含まれる前記情報要素サイズ情報の数は、前記第１データユニットに多重化されている前記情報要素の数よりも１つ少ないことを特徴とする無線基地局。
【請求項１８】
第１レイヤの下位レイヤから、第１データユニットのサイズを示す第１データユニットサイズ情報を取得するように構成されている第１データユニットサイズ情報取得部と、
前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの上位レイヤデータユニットのサイズを検出するように構成されているヘッダ情報解析部と、
検出された前記上位レイヤデータユニットのサイズに基づいて、前記第１データユニットから前記上位レイヤデータユニットを抽出するように構成されている抽出部とを具備し、
前記情報要素サイズ情報は、上位レイヤデータユニット、制御情報、パディング情報のいずれかである情報要素のサイズを示し、
前記ヘッダ情報に含まれる前記情報要素サイズ情報の数は、前記第１データユニットに多重化されている前記情報要素の数よりも１つ少ないことを特徴とする無線基地局。
【請求項１９】
第１レイヤの下位レイヤから、第１データユニットのサイズを示す第１データユニットサイズ情報を取得するように構成されている第１データユニットサイズ情報取得部と、
前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの制御情報のサイズ及び１つのパディング情報のサイズの少なくともいずれかを検出するように構成されているヘッダ情報解析部と、
検出された前記サイズに基づいて、前記第１データユニットから前記制御情報を抽出するように構成されている抽出部とを具備し、
前記情報要素サイズ情報は、上位レイヤデータユニット、制御情報、パディング情報のいずれかである情報要素のサイズを示し、
前記ヘッダ情報に含まれる前記情報要素サイズ情報の数は、前記第１データユニットに多重化されている前記情報要素の数よりも１つ少ないことを特徴とする無線基地局。
【発明の詳細な説明】
【技術分野】
【０００１】
本発明は、送信機、受信機、移動局及び無線基地局に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）において規定されている移動通信システムでは、図１に示すように、下り方向において、無線基地局ＮｏｄｅＢ（送信機）が、移動局ＵＥ（受信機）に対して、ＤＣＣＨ（Ｄｅｄｉｃａｔｅｄ  Ｃｏｎｔｒｏｌ  Ｃｈａｎｎｅｌ）や、ＤＴＣＨ（Ｄｅｄｉｃａｔｅｄ  Ｔｒａｆｆｉｃ  Ｃｈａｎｎｅｌ）や、ＣＣＣＨ（Ｃｏｍｍｏｎ  Ｃｏｎｔｒｏｌ  Ｃｈａｎｎｅｌ）等を送信するように構成されている。
【０００３】
また、上り方向においては、移動局ＵＥ（送信機）が、無線基地局ＮｏｄｅＢ（受信機）に対して、ＤＣＣＨや、ＤＴＣＨや、ＣＣＣＨ等を送信するように構成されている。
【０００４】
また、３ＧＰＰで規格されているＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）用の論理チャネルとして、下り方向において、無線基地局ＮｏｄｅＢ（送信機）が、移動局ＵＥ（受信機）に対して、ＭＴＣＨ（ＭＢＭＳ  Ｔｒａｆｆｉｃ  Ｃｈａｎｎｅｌ）や、ＭＣＣＨ（ＭＢＭＳ  Ｃｏｎｔｒｏｌ  Ｃｈａｎｎｅｌ）を送信するように構成されている。
【０００５】
また、３ＧＰＰで規格されている下り方向の高速パケット通信規格であるＨＳＤＰＡ（Ｈｉｇｈ  Ｓｐｅｅｄ  Ｄｏｗｎｌｉｎｋ  Ｐａｃｋｅｔ  Ａｃｃｅｓｓ）用の物理チャネルとして、下り方向において、無線基地局ＮｏｄｅＢ（送信機）が、移動局ＵＥ（受信機）に対して、ＨＳ-ＳＣＣＨ（Ｈｉｇｈ  Ｓｐｅｅｄ  Ｓｈａｒｅｄ  Ｃｏｎｔｒｏｌ  Ｃｈａｎｎｅｌ）や、ＨＳ-ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）等を送信するように構成されている。
【０００６】
また、ＨＳＰＤＡでは、無線基地局ＮｏｄｅＢ（送信機）が、ＭＡＣ-ｈｓレイヤにおいて、ＭＡＣ-ｄレイヤから受信したＭＡＣ-ｄ  ＰＤＵ（Ｐｒｏｔｏｃｏｌ  Ｄａｔａ  Ｕｎｉｔ）を多重化して、ＭＡＣ-ｈｓ  ＰＤＵを生成し、ＨＳ-ＰＤＳＣＨに関連付けられているＨＳ-ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を用いて送信するように構成されている。
【０００７】
ここで、ＭＡＣ-ｈｓ  ＰＤＵに多重化されるＭＡＣ-ｄ  ＰＤＵのサイズは、ＭＡＣ-ｄフロー毎に固定であり、図１２に示すように、無線基地局ＮｏｄｅＢ（送信機）のＭＡＣ-ｈｓレイヤにおいて、ＭＡＣ-ｄフロー毎にＭＡＣ-ｄ  ＰＤＵのサイズを示す「ＳＩＤ（Ｓｉｚｅ  Ｉｎｄｅｘ  Ｉｄｅｎｔｉｆｉｅｒ）」及び当該ＭＡＣ-ｄ  ＰＤＵの個数を示す「Ｎ（Ｎｕｍｂｅｒ  ｏｆ  ＭＡＣ-ｄ  ＰＤＵｓ）を含むＭＡＣヘッダをＭＡＣ-ｈｓ  ＰＤＵに付与するように構成されている。
【先行技術文献】
【非特許文献】
【０００８】
【非特許文献１】３ＧＰＰ  ＴＳ  ２５．３２１  ｖ７．０．０
【発明の概要】
【発明が解決しようとする課題】
【０００９】
しかしながら、ＬＴＥ（Ｌｏｎｇ  Ｔｅｒｍ  Ｅｖａｌｕａｔｉｏｎ）のような高速パケット通信では、ＨＳＤＰＡとは異なり、ＭＡＣ-ＰＤＵに多重化されるＭＡＣ-ＳＤＵのサイズが可変であり、単位時間に送信可能なＭＡＣ-ＰＤＵのサイズが大きくなるために、各ＭＡＣ-ＳＤＵのサイズを示す「ＬＩ（Ｌｅｎｇｔｈ  Ｉｎｄｉｃａｔｏｒ）」に必要なビット数が増加してしまい、ヘッダ情報におけるオーバヘッドがＭＡＣ-ＳＤＵの多重数の増加に応じて増加してしまうという問題点があった。
【００１０】
そこで、本発明は、上述の課題に鑑みてなされたものであり、高速パケット通信において、多重化するデータユニットのサイズを示す情報によるオーバヘッドの増加を軽減することを可能とする送信機、受信機、移動局及び無線基地局を提供することを目的とする。
【課題を解決するための手段】
【００１１】
本発明の第１の特徴は、送信機であって、第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、生成された前記第１データユニットを送信するように構成されている第１データユニット送信部とを具備し、前記第１データユニット生成部は、前記第１データユニットに、複数の情報要素を多重化する場合、多重化される該情報要素のサイズを示す情報要素サイズ情報を含むヘッダ情報を付与するように構成されており、前記ヘッダ情報に含まれる前記情報要素サイズ情報の数は、多重化されている前記情報要素の数よりも１つ少ないことを要旨とする。
【００１２】
本発明の第１の特徴において、前記第1レイヤは、ＭＡＣレイヤであり、前記第１レイヤの上位レイヤは、ＲＬＣレイヤであり、前記上位レイヤデータユニットは、ＭＡＣ-ＳＤＵであり、前記第１データユニットは、ＭＡＣ-ＰＤＵであり、前記ヘッダ情報は、ＭＡＣヘッダであり、前記第１データユニット生成部は、前記ＭＡＣ-ＰＤＵに、複数のＭＡＣ-ＳＤＵを多重化する場合、多重化される該ＭＡＣ-ＳＤＵの数よりも１つ少ない数の前記情報要素サイズ情報を、前記ＭＡＣヘッダに含めるように構成されていてもよい。
【００１３】
本発明の第２の特徴は、送信機であって、第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、生成された前記第１データユニットを送信するように構成されている第１データユニット送信部とを具備し、前記第１データユニット生成部は、前記第１データユニットに、１つの上位レイヤデータユニットのみを多重化する場合、前記ヘッダ情報内に、前記情報要素サイズ情報を含めないように構成されていることを要旨とする。
【００１４】
本発明の第３の特徴は、送信機であって、第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、生成された前記第１データユニットを送信するように構成されている第１データユニット送信部とを具備し、前記第１データユニット生成部は、前記第１データユニットに、１つの制御情報及び１つのパディング情報のみを多重化する場合、前記ヘッダ情報内に、前記情報要素サイズ情報を含めないように構成されていることを要旨とする。
【００１５】
本発明の第４の特徴は、受信機であって、第１レイヤの下位レイヤから、第１データユニットのサイズを示す第１データユニットサイズ情報を取得するように構成されている第１データユニットサイズ情報取得部と、前記第１レイヤにおいて受信した前記第１データユニットのヘッダ情報に含まれている情報要素サイズ情報及び取得した前記第１データユニットサイズ情報に基づいて、前記第１データユニットに多重化されている情報要素のサイズを検出するように構成されているヘッダ情報解析部と、検出された前記情報要素のサイズに基づいて、前記第１データユニットから前記情報要素を抽出するように構成されている抽出部とを具備し、前記情報要素サイズ情報は、上位レイヤデータユニット、制御情報、パディング情報のいずれかである情報要素のサイズを示し、前記ヘッダ情報に含まれる前記情報要素サイズ情報の数は、前記第１データユニットに多重化されている前記情報要素の数よりも１つ少ないことを要旨とする。
【００１６】
本発明の第５の特徴は、受信機であって、第１レイヤの下位レイヤから、第１データユニットのサイズを示す第１データユニットサイズ情報を取得するように構成されている第１データユニットサイズ情報取得部と、前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの上位レイヤデータユニットのサイズを検出するように構成されているヘッダ情報解析部と、検出された前記上位レイヤデータユニットのサイズに基づいて、前記第１データユニットから前記上位レイヤデータユニットを抽出するように構成されている抽出部とを具備し、前記情報要素サイズ情報は、上位レイヤデータユニット、制御情報、パディング情報のいずれかである情報要素のサイズを示し、前記ヘッダ情報に含まれる前記情報要素サイズ情報の数は、前記第１データユニットに多重化されている前記情報要素の数よりも１つ少ないことを要旨とする。
【００１７】
本発明の第６の特徴は、受信機であって、第１レイヤの下位レイヤから、第１データユニットのサイズを示す第１データユニットサイズ情報を取得するように構成されている第１データユニットサイズ情報取得部と、前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの制御情報のサイズ及び１つのパディング情報のサイズの少なくともいずれかを検出するように構成されているヘッダ情報解析部と、検出された前記サイズに基づいて、前記第１データユニットから前記制御情報を抽出するように構成されている抽出部とを具備し、前記情報要素サイズ情報は、上位レイヤデータユニット、制御情報、パディング情報のいずれかである情報要素のサイズを示し、前記ヘッダ情報に含まれる前記情報要素サイズ情報の数は、前記第１データユニットに多重化されている前記情報要素の数よりも１つ少ないことを要旨とする。
【００１８】
本発明の第７の特徴は、移動局であって、第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、生成された前記第１データユニットを送信するように構成されている第１データユニット送信部とを具備し、前記第１データユニット生成部は、前記第１データユニットに、複数の情報要素を多重化する場合、多重化される該情報要素のサイズを示す情報要素サイズ情報を含むヘッダ情報を付与するように構成されており、前記ヘッダ情報に含まれる前記情報要素サイズ情報の数は、多重化されている前記情報要素の数よりも１つ少ないことを要旨とする。
【００１９】
本発明の第８の特徴は、移動局であって、第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、生成された前記第１データユニットを送信するように構成されている第１データユニット送信部とを具備し、前記第１データユニット生成部は、前記第１データユニットに、１つの上位レイヤデータユニットのみを多重化する場合、前記ヘッダ情報内に、前記情報要素サイズ情報を含めないように構成されていることを要旨とする。
【００２０】
本発明の第９の特徴は、移動局であって、第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、生成された前記第１データユニットを送信するように構成されている第１データユニット送信部とを具備し、前記第１データユニット生成部は、前記第１データユニットに、１つの制御情報及び１つのパディング情報のみを多重化する場合、前記ヘッダ情報内に、前記情報要素サイズ情報を含めないように構成されていることを要旨とする。
【００２１】
本発明の第１０の特徴は、無線基地局であって、第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、生成された前記第１データユニットを送信するように構成されている第１データユニット送信部とを具備し、前記第１データユニット生成部は、前記第１データユニットに、複数の情報要素を多重化する場合、多重化される該情報要素のサイズを示す情報要素サイズ情報を含むヘッダ情報を付与するように構成されており、前記ヘッダ情報に含まれる前記情報要素サイズ情報の数は、多重化されている前記情報要素の数よりも１つ少ないことを要旨とする。
【００２２】
本発明の第１１の特徴は、無線基地局であって、第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、生成された前記第１データユニットを送信するように構成されている第１データユニット送信部とを具備し、前記第１データユニット生成部は、前記第１データユニットに、１つの上位レイヤデータユニットのみを多重化する場合、前記ヘッダ情報内に、前記情報要素サイズ情報を含めないように構成されていることを要旨とする。
【００２３】
本発明の第１２の特徴は、無線基地局であって、第１レイヤにおいて、該第１レイヤの上位レイヤから受信した可変長の上位レイヤデータユニット、制御情報、パディング情報のいずれかである１つ又は複数の情報要素を用いて、第１データユニットを生成するように構成されている第１データユニット生成部と、生成された前記第１データユニットを送信するように構成されている第１データユニット送信部とを具備し、前記第１データユニット生成部は、前記第１データユニットに、１つの制御情報及び１つのパディング情報のみを多重化する場合、前記ヘッダ情報内に、前記情報要素サイズ情報を含めないように構成されていることを要旨とする。
【００２４】
本発明の第１３の特徴は、移動局であって、第１レイヤの下位レイヤから、第１データユニットのサイズを示す第１データユニットサイズ情報を取得するように構成されている第１データユニットサイズ情報取得部と、前記第１レイヤにおいて受信した前記第１データユニットのヘッダ情報に含まれている情報要素サイズ情報及び取得した前記第１データユニットサイズ情報に基づいて、前記第１データユニットに多重化されている情報要素のサイズを検出するように構成されているヘッダ情報解析部と、検出された前記情報要素のサイズに基づいて、前記第１データユニットから前記情報要素を抽出するように構成されている抽出部とを具備し、前記情報要素サイズ情報は、上位レイヤデータユニット、制御情報、パディング情報のいずれかである情報要素のサイズを示し、前記ヘッダ情報に含まれる前記情報要素サイズ情報の数は、前記第１データユニットに多重化されている前記情報要素の数よりも１つ少ないことを要旨とする。
【００２５】
本発明の第１４の特徴は、移動局であって、第１レイヤの下位レイヤから、第１データユニットのサイズを示す第１データユニットサイズ情報を取得するように構成されている第１データユニットサイズ情報取得部と、前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの上位レイヤデータユニットのサイズを検出するように構成されているヘッダ情報解析部と、検出された前記上位レイヤデータユニットのサイズに基づいて、前記第１データユニットから前記上位レイヤデータユニットを抽出するように構成されている抽出部とを具備し、前記情報要素サイズ情報は、上位レイヤデータユニット、制御情報、パディング情報のいずれかである情報要素のサイズを示し、前記ヘッダ情報に含まれる前記情報要素サイズ情報の数は、前記第１データユニットに多重化されている前記情報要素の数よりも１つ少ないことを要旨とする。
【００２６】
本発明の第１５の特徴は、移動局であって、第１レイヤの下位レイヤから、第１データユニットのサイズを示す第１データユニットサイズ情報を取得するように構成されている第１データユニットサイズ情報取得部と、前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの制御情報のサイズ及び１つのパディング情報のサイズの少なくともいずれかを検出するように構成されているヘッダ情報解析部と、検出された前記サイズに基づいて、前記第１データユニットから前記制御情報を抽出するように構成されている抽出部とを具備し、前記情報要素サイズ情報は、上位レイヤデータユニット、制御情報、パディング情報のいずれかである情報要素のサイズを示し、前記ヘッダ情報に含まれる前記情報要素サイズ情報の数は、前記第１データユニットに多重化されている前記情報要素の数よりも１つ少ないことを要旨とする。
【００２７】
本発明の第１６の特徴は、無線基地局であって、第１レイヤの下位レイヤから、第１データユニットのサイズを示す第１データユニットサイズ情報を取得するように構成されている第１データユニットサイズ情報取得部と、前記第１レイヤにおいて受信した前記第１データユニットのヘッダ情報に含まれている情報要素サイズ情報及び取得した前記第１データユニットサイズ情報に基づいて、前記第１データユニットに多重化されている情報要素のサイズを検出するように構成されているヘッダ情報解析部と、検出された前記情報要素のサイズに基づいて、前記第１データユニットから前記情報要素を抽出するように構成されている抽出部とを具備し、前記情報要素サイズ情報は、上位レイヤデータユニット、制御情報、パディング情報のいずれかである情報要素のサイズを示し、前記ヘッダ情報に含まれる前記情報要素サイズ情報の数は、前記第１データユニットに多重化されている前記情報要素の数よりも１つ少ないことを要旨とする。
【００２８】
本発明の第１７の特徴は、無線基地局であって、第１レイヤの下位レイヤから、第１データユニットのサイズを示す第１データユニットサイズ情報を取得するように構成されている第１データユニットサイズ情報取得部と、前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの上位レイヤデータユニットのサイズを検出するように構成されているヘッダ情報解析部と、検出された前記上位レイヤデータユニットのサイズに基づいて、前記第１データユニットから前記上位レイヤデータユニットを抽出するように構成されている抽出部とを具備し、前記情報要素サイズ情報は、上位レイヤデータユニット、制御情報、パディング情報のいずれかである情報要素のサイズを示し、前記ヘッダ情報に含まれる前記情報要素サイズ情報の数は、前記第１データユニットに多重化されている前記情報要素の数よりも１つ少ないことを要旨とする。
【００２９】
本発明の第１８の特徴は、無線基地局であって、第１レイヤの下位レイヤから、第１データユニットのサイズを示す第１データユニットサイズ情報を取得するように構成されている第１データユニットサイズ情報取得部と、前記第１レイヤにおいて受信した前記第１データユニットのヘッダ情報に情報要素サイズ情報が含まれていない場合、取得した前記第１データユニットサイズ情報によって示されている該第１データユニットのサイズ及び該ヘッダ情報のサイズに基づいて、前記第１データユニットに多重化されている１つの制御情報のサイズ及び１つのパディング情報のサイズの少なくともいずれかを検出するように構成されているヘッダ情報解析部と、検出された前記サイズに基づいて、前記第１データユニットから前記制御情報を抽出するように構成されている抽出部とを具備し、前記情報要素サイズ情報は、上位レイヤデータユニット、制御情報、パディング情報のいずれかである情報要素のサイズを示し、前記ヘッダ情報に含まれる前記情報要素サイズ情報の数は、前記第１データユニットに多重化されている前記情報要素の数よりも１つ少ないことを要旨とする。
【発明の効果】
【００３０】
以上説明したように、本発明によれば、高速パケット通信において、多重化するデータユニットのサイズを示す情報によるオーバヘッドの増加を軽減することを可能とする送信機、受信機、移動局及び無線基地局を提供することができる。
【図面の簡単な説明】
【００３１】
【図１】図１は、本発明の第１の実施形態に係る移動通信システムの全体構成図である。
【図２】図２は、本発明の第１の実施形態に係る送信機の機能ブロック図である。
【図３】図３は、本発明の第１の実施形態に係る移動通信システムにおけるプロトコルスタックを示す図である。
【図４】図４は、本発明の第１の実施形態に係る送信機によって送信されるＭＡＣ-ＰＤＵのフォーマットの一例を示す図である。
【図５】図５は、本発明の第１の実施形態に係る送信機によって送信されるＭＡＣ-ＰＤＵのフォーマットの一例を示す図である。
【図６】図６は、本発明の第１の実施形態に係る送信機によって送信されるＭＡＣ-ＰＤＵのフォーマットの一例を示す図である。
【図７】図７は、本発明の第１の実施形態に係る送信機によって送信されるＭＡＣ-ＰＤＵのフォーマットの一例を示す図である。
【図８】図８は、本発明の第１の実施形態に係る送信機によって送信されるＭＡＣ-ＰＤＵのフォーマットの一例を示す図である。
【図９】図９は、本発明の第１の実施形態に係る受信機の機能ブロック図である。
【図１０】図１０は、本発明の第１の実施形態に係る送信機の動作を示すフローチャートである。
【図１１】図１１は、本発明の第１の実施形態に係る受信機の動作を示すフローチャートである。
【図１２】図１２は、ＨＳＤＰＡにおいて使用されるＭＡＣ-ｈｓ  ＰＤＵのフォーマットの一例を示す図である。
【発明を実施するための形態】
【００３２】
（本発明の第１の実施形態に係る移動通信システムの構成）
図１乃至図９を参照して、本発明の第１の実施形態に係る送信機１０及び受信機３０を具備する移動通信システムの構成について説明する。本実施形態に係る移動通威信システムの構成は、ＬＴＥによって規格されているものとする。
【００３３】
ここで、無線基地局ｅＮｏｄｅＢが、本実施形態に係る送信機１０であり、移動局ＵＥが、本実施形態に係る受信機３０であってもよいし、無線基地局ｅＮｏｄｅＢが、本実施形態に係る受信機３０であり、移動局ＵＥが、本実施形態に係る送信機１０であってもよい。
【００３４】
図２に示すように、送信機１０は、ＭＡＣ（Ｍｅｄｉａ  Ａｃｃｅｓｓ  Ｃｏｎｔｒｏｌ）レイヤ（第１レイヤ）機能として、ＭＡＣ-ＳＤＵ（Ｓｅｒｖｉｃｅ  Ｄａｔａ  Ｕｎｉｔ）受信部１１と、ＭＡＣ-ＰＤＵ生成部１２と、ＭＡＣ-ＰＤＵ送信部１３とを具備している。
【００３５】
ＭＡＣ-ＳＤＵ受信部１１は、ＲＬＣ（Ｒａｄｉｏ  Ｌｉｎｋ  Ｃｏｎｔｒｏｌ）レイヤ（ＭＡＣレイヤの上位レイヤ）からＭＡＣ-ＳＤＵ（上位レイヤデータユニット）を受信するように構成されている（図３参照）。
【００３６】
ＭＡＣ-ＰＤＵ生成部１２は、ＭＡＣレイヤにおいて、ＲＬＣレイヤから受信したＭＡＣ-ＳＤＵとＭＡＣコントロールブロック（制御情報）とＰａｄｄｉｎｇ（パディング情報）のいずれかである情報要素を多重して、ＭＡＣ-ＰＤＵを生成するように構成されている。
【００３７】
また、ＭＡＣ-ＰＤＵ生成部１２は、ＭＡＣ-ＰＤＵに複数の情報要素を多重化する場合、かかる複数の情報要素のサイズを示す「ＬＩ（情報要素サイズ情報）」を含むＭＡＣヘッダ（ヘッダ情報）を付与するように構成されている（図５乃至図８参照）。
【００３８】
ここで、図４乃至図８に示すように、ヘッダ情報に含まれる「ＬＩ」の数は、多重化されている情報要素の数よりも１つ少ない。なお、ＭＡＣ-ＳＤＵ、ＭＡＣコントロールブロック、Ｐａｄｄｉｎｇのサイズは、可変であるものとする。
【００３９】
例えば、図４に示すように、ＭＡＣ-ＰＤＵ生成部１２は、ＭＡＣ-ＰＤＵに、１つのＭＡＣ-ＳＤＵ＃１のみを多重化する場合、ＭＡＣヘッダ内に「ＬＩ」を含めないように構成されている。
【００４０】
図４に示すＭＡＣ-ＰＣＵのフォーマット例では、ＭＡＣヘッダ内に、「Ｃ/Ｔ」と「Ｅ」とからなる組が含まれている。
【００４１】
ここで、「Ｃ/Ｔ」は、ＭＡＣ-ＰＤＵに多重化されているＭＡＣ-ＳＤＵに対応する論理チャネルやＭＡＣコントロールブロックやＰａｄｄｉｎｇを識別するための情報である。
【００４２】
また、「Ｅ」は、当該「Ｅ」がＭＡＣヘッダの最後であるか否かについて示す情報である。例えば、「Ｅ」が、「０」である場合、当該「Ｅ」は、ＭＡＣヘッダの最後であり、当該「Ｅ」には、ＭＡＣ-ＳＤＵやＭＡＣコントロールブロックやＰａｄｄｉｎｇのいずれかが後続することを示す。一方、「Ｅ」が、「１」である場合、当該「Ｅ」は、ＭＡＣヘッダの最後ではなく、当該「Ｅ」には、「ＬＩ」と「Ｃ/Ｔ」と「Ｅ」とからなる組が後続することを示す。
【００４３】
図５に示すように、ＭＡＣ-ＰＤＵ生成部１２は、ＭＡＣ-ＰＤＵに、２つのＭＡＣ-ＳＤＵ（ＭＡＣ-ＳＤＵ＃１及びＭＡＣ-ＳＤＵ＃２）を多重化する場合、ＭＡＣヘッダ内に、１つの「ＬＩ」を含めるように構成されている。
【００４４】
図５に示すＭＡＣ-ＰＤＵのフォーマット例では、ＭＡＣヘッダ内に、「Ｃ/Ｔ」１０１と「Ｅ」１０２とからなる組と、「ＬＩ」１０３と「Ｃ/Ｔ」１０４と「Ｅ」１０５とからなる組とが含まれている。
【００４５】
ここで、「Ｃ/Ｔ」１０１は、当該ＭＡＣ-ＰＤＵに多重化されているＭＡＣ-ＳＤＵ＃１に対応する論理チャネルを識別するための情報であり、「Ｅ」１０２は、当該「Ｅ」１０２が、ＭＡＣヘッダの最後ではないことを示す。
【００４６】
また、「ＬＩ」１０３は、ＭＡＣ-ＳＤＵ＃１又はＭＡＣ-ＳＤＵ＃２のサイズを示す情報である。また、「Ｃ/Ｔ」１０４は、当該ＭＡＣ-ＰＤＵに多重化されているＭＡＣ-ＳＤＵ＃２に対応する論理チャネルを識別するための情報であり、「Ｅ」１０５は、当該「Ｅ」１０５が、ＭＡＣヘッダの最後であることを示す。
【００４７】
図６に示すように、ＭＡＣ-ＰＤＵ生成部１２は、ＭＡＣ-ＰＤＵに、ＭＡＣコントロールブロック及びＰａｄｄｉｎｇのみを多重化する場合（すなわち、ＭＡＣ-ＰＤＵを多重化しない場合）、ＭＡＣヘッダ内に、「ＬＩ」を含めないように構成されている。
【００４８】
図６に示すＭＡＣ-ＰＣＵのフォーマット例では、ＭＡＣヘッダ内に、「Ｃ/Ｔ」と「Ｅ」とからなる組が含まれている。
【００４９】
なお、図６に示すように、ＭＡＣコントロールブロックは、情報と当該情報のサイズを示す「Ｌ」とによって構成される複数の要素によって構成されているため、ＭＡＣコントロールブロックのサイズは、「ＬＩ」によることなく識別することができる。
【００５０】
ここで、「Ｃ/Ｔ」は、ＭＡＣ-ＰＤＵに多重化されているＰａｄｄｉｎｇを識別するための情報であり、「Ｅ」は、当該「Ｅ」が、ＭＡＣヘッダの最後であることを示す。
【００５１】
図７に示すように、ＭＡＣ-ＰＤＵ生成部１２は、ＭＡＣ-ＰＤＵに、ＭＡＣ-ＳＤＵ＃１及びＰａｄｄｉｎｇを多重化する場合、ＭＡＣヘッダ内に、１つの「ＬＩ」を含めるように構成されている。
【００５２】
図７に示すＭＡＣ-ＰＣＵのフォーマット例では、ＭＡＣヘッダ内に、「Ｃ/Ｔ」１０１と「Ｅ」１０２とからなる組と、「ＬＩ」１０３と「Ｃ/Ｔ」１０４と「Ｅ」１０５とからなる組とが含まれている。
【００５３】
ここで、「Ｃ/Ｔ」１０１は、当該ＭＡＣ-ＰＤＵに多重化されているＭＡＣ-ＳＤＵ＃１に対応する論理チャネルを識別するための情報であり、「Ｅ」１０２は、当該「Ｅ」１０２が、ＭＡＣヘッダの最後ではないことを示す。
【００５４】
また、「ＬＩ」１０３は、ＭＡＣ-ＳＤＵ＃１又はＰａｄｄｉｎｇのサイズを示す情報である。また、「Ｃ/Ｔ」１０４は、当該ＭＡＣ-ＰＤＵに多重化されているＰａｄｄｉｎｇを識別するための情報であり、「Ｅ」１０５は、当該「Ｅ」１０５が、ＭＡＣヘッダの最後であることを示す。
【００５５】
図８に示すように、ＭＡＣ-ＰＤＵ生成部１２は、ＭＡＣ-ＰＤＵに、ＭＡＣ-ＳＤＵ＃１とＭＡＣ-ＳＤＵ＃２とＭＡＣコントロールブロックとを多重化する場合、ＭＡＣヘッダ内に、２つの「ＬＩ」を含めるように構成されている。
【００５６】
図８に示すＭＡＣ-ＰＣＵのフォーマット例では、ＭＡＣヘッダ内に、「Ｃ/Ｔ」１０１と「Ｅ」１０２とからなる組と、「ＬＩ」１０３と「Ｃ/Ｔ」１０４と「Ｅ」１０５と、「ＬＩ」１０６と「Ｃ/Ｔ」１０７と「Ｅ」１０８とからなる組とが含まれている。
【００５７】
ここで、「Ｃ/Ｔ」１０１は、当該ＭＡＣ-ＰＤＵに多重化されているＭＡＣ-ＳＤＵ＃１に対応する論理チャネルを識別するための情報であり、「Ｅ」１０２は、当該「Ｅ」１０２が、ＭＡＣヘッダの最後ではないことを示す。
【００５８】
また、「ＬＩ」１０３は、ＭＡＣ-ＳＤＵ＃１のサイズを示す情報である。また、「Ｃ/Ｔ」１０４は、当該ＭＡＣ-ＰＤＵに多重化されているＭＡＣ-ＳＤＵ＃２に対応する論理チャネルを識別するための情報であり、「Ｅ」１０５は、当該「Ｅ」１０５が、ＭＡＣヘッダの最後ではないことを示す。
【００５９】
また、「ＬＩ」１０６は、ＭＡＣ-ＳＤＵ＃２のサイズを示す情報である。また、「Ｃ/Ｔ」１０７は、当該ＭＡＣ-ＰＤＵに多重化されているＭＡＣコントロールブロックを識別するための情報であり、「Ｅ」１０８は、当該「Ｅ」１０８が、ＭＡＣヘッダの最後であることを示す。
【００６０】
ＭＡＣ-ＰＤＵ送信部１３は、ＭＡＣ-ＰＤＵ生成部１２により生成されたＭＡＣ-ＰＤＵを、１つのトランスポートブロックとして物理レイヤに送信するように構成されている（図３参照）。
【００６１】
図９に示すように、受信機３０は、ＭＡＣレイヤ機能として、ＭＡＣ-ＰＤＵ受信部３１と、ＭＡＣ-ＰＤＵサイズ情報取得部３２と、ＭＡＣヘッダ解析部３３と、ＭＡＣ-ＳＤＵ送信部３４とを具備している。
【００６２】
ＭＡＣ-ＰＤＵ受信部３１は、送信機１０によって送信されたＭＡＣ-ＰＤＵを、物理レイヤを介して受信するように構成されている（図３参照）。
【００６３】
ＭＡＣ-ＰＤＵサイズ情報取得部３２は、物理レイヤ（ＭＡＣレイヤの下位レイヤ）から、ＭＡＣ-ＰＤＵのサイズを示すＭＡＣ-ＰＤＵサイズ情報を取得するように構成されている。
【００６４】
具体的には、物理レイヤが、ＭＡＣ-ＰＤＵサイズ情報取得部３２に対して、Ｌ１/Ｌ２制御チャネル（ＭＡＣ-ＰＤＵサイズ情報）を介して、ＭＡＣ-ＰＤＵのサイズと等価であるトランスポートブロックサイズを通知するように構成されている。
【００６５】
ＭＡＣヘッダ解析部３３は、ＭＡＣレイヤにおいて受信したＭＡＣ-ＰＤＵのＭＡＣヘッダに含まれている「ＬＩ（情報要素サイズ情報）」及びＭＡＣ-ＰＤＵサイズ情報取得部３２により取得されたＭＡＣ-ＰＤＵサイズ情報に基づいて、ＭＡＣ-ＰＤＵに多重化されている情報要素（ＭＡＣ-ＳＤＵ、ＭＡＣコントロールブロック、Ｐａｄｄｉｎｇ）のサイズを検出するように構成されている。
【００６６】
ここで、ＭＡＣ-ＰＤＵ受信部３１により受信されたＭＡＣ-ＰＤＵのＭＡＣヘッダに「ＬＩ」が含まれていない場合、ＭＡＣヘッダ解析部３３は、ＭＡＣ-ＰＤＵサイズ情報取得部３２により取得されたＭＡＣ-ＰＤＵサイズ情報によって示されているＭＡＣ-ＰＤＵのサイズ及びＭＡＣヘッダのサイズに基づいて、ＭＡＣ-ＰＤＵに多重化されている情報要素（ＭＡＣ-ＰＤＵ、ＭＡＣコントロールブロック又はＰａｄｄｉｎｇ）のサイズを検出することができる。
【００６７】
かかる場合、具体的には、ＭＡＣヘッダ解析部３３は、上述のＭＡＣ-ＰＤＵのサイズから上述のＭＡＣヘッダのサイズを引いた値を、ＭＡＣ-ＰＤＵに多重化されている情報要素のサイズであるものとする。
【００６８】
図４の例では、ＭＡＣヘッダ解析部３３は、「Ｃ/Ｔ」によってＭＡＣ-ＰＤＵに多重化されている情報要素が、ＭＡＣ-ＳＤＵ＃１であることを認識し、上述のＭＡＣ-ＰＤＵのサイズから上述のＭＡＣヘッダのサイズを引いた値が、ＭＡＣ-ＰＤＵに多重化されているＭＡＣ-ＳＤＵ＃１のサイズであるものと認識する。
【００６９】
なお、図６の例では、ＭＡＣヘッダ解析部３３は、「Ｌ」と「情報」とからなる複数の要素によって構成されているＭＡＣコントロールブロックについては、「Ｃ/Ｔ」によることなく、ＭＡＣ-ＰＤＵに多重化されていること（及び、ＭＡＣコントロールブロックのサイズ）を認識することができるため、「Ｃ/Ｔ」によって、ＭＡＣコントロールブロック以外に、ＭＡＣ-ＰＤＵに多重化されている情報要素が、ＭＡＣ-ＳＤＵ＃１であることを認識し、上述のＭＡＣ-ＰＤＵのサイズから上述のＭＡＣヘッダのサイズ及びＭＡＣコントロールブロックのサイズを引いた値が、ＭＡＣ-ＰＤＵに多重化されているＰａｄｄｉｎｇのサイズであるものと認識する。
【００７０】
ＭＡＣ-ＳＤＵ送信部３４は、ＭＡＣヘッダ解析部３３によって検出された情報要素のサイズに基づいて、ＭＡＣ-ＰＤＵから当該情報要素を抽出するように構成されている。
【００７１】
なお、ＭＡＣ-ＳＤＵ送信部３４は、抽出したＭＡＣ-ＳＤＵを、ＲＬＣレイヤに対して送信するように構成されている。
【００７２】
（本発明の第１の実施形態に係る移動通信システムの動作）
図１０及び図１１を参照して、本発明の第１の実施形態に係る移動通信システムの動作について説明する。
【００７３】
第１に、図１０を参照して、本実施形態に係る送信機１０の動作について説明する。
【００７４】
図１０に示すように、ステップＳ１０１において、送信機１０のＭＡＣレイヤ機能が、送信機１０のＲＬＣレイヤから、受信機３０に対して送信すべきＭＡＣ-ＳＤＵを受信する。
【００７５】
ステップＳ１０２において、ＭＡＣレイヤ機能が、１つのＭＡＣ-ＰＤＵに対して、複数の情報要素を多重すべきか否かについて判定する。
【００７６】
複数の情報要素を多重すべきではないと判定した場合、ステップＳ１０３において、ＭＡＣレイヤ機能が、「ＬＩ」を含まないＭＡＣヘッダを生成する（図４参照）。
【００７７】
一方、複数の情報要素を多重すべきであると判定した場合、ステップＳ１０４において、ＭＡＣレイヤ機能が、多重化される複数の情報要素の数よりも１つ少ない数の「ＬＩ」を含むＭＡＣヘッダを生成する（図５、図７、図８参照）。
【００７８】
ただし、ＭＡＣ機能が、１つのＭＡＣ-ＰＤＵに対して、１つのＭＡＣコントロールブロックと１つのＰａｄｄｉｎｇとを多重化する場合には、例外的に、「ＬＩ」を含まないＭＡＣヘッダを生成する（図６参照）。
【００７９】
ＭＡＣレイヤ機能が、ステップＳ１０５において、生成されたＭＡＣヘッダが付与されたＭＡＣ-ＰＤＵを生成し、ステップＳ１０６において、送信機１０の物理レイヤを介して、生成されたＭＡＣ-ＰＤＵを受信機３０に対して送信する。
【００８０】
第２に、図１１を参照して、本実施形態に係る受信機３０の動作について説明する。
【００８１】
図１１に示すように、ステップＳ２０１において、受信機３０のＭＡＣレイヤ機能が、受信機３０の物理レイヤを介して、送信機１０から送信されたＭＡＣ-ＰＤＵを受信する。
【００８２】
ステップＳ２０２において、受信機３０のＭＡＣレイヤ機能が、受信したＭＡＣ-ＰＤＵに付与されているＭＡＣヘッダ内に「ＬＩ」が含まれているか否かについて判定する。
【００８３】
「ＬＩ」が含まれていないと判定された場合、ステップＳ２０３において、受信機３０のＭＡＣレイヤ機能が、ＭＡＣヘッダ内に含まれている「Ｃ/Ｔ」によって、当該ＭＡＣ-ＰＤＵに多重化されている情報要素を識別し、物理レイヤから通知されたＭＡＣ-ＰＤＵサイズ情報に含まれるＭＡＣ-ＰＤＵのサイズ及びＭＡＣヘッダのサイズに基づいて、識別した情報要素（例えば、ＭＡＣ-ＳＤＵ）を取得する。
【００８４】
一方、「ＬＩ」が含まれていると判定された場合、ステップＳ２０４において、受信機３０のＭＡＣレイヤ機能が、ＭＡＣヘッダ内に含まれている「Ｃ/Ｔ」によって、当該ＭＡＣ-ＰＤＵに多重化されている情報要素を識別し、物理レイヤから通知されたＭＡＣ-ＰＤＵサイズ情報に含まれるＭＡＣ-ＰＤＵのサイズとＭＡＣヘッダのサイズと「ＬＩ」とに基づいて、識別した情報要素（例えば、ＭＡＣ-ＳＤＵ）を取得する。
【００８５】
（本発明の第１の実施形態に係る移動通信システムの作用・効果）
本発明の第１の実施形態に係る移動通信システムによれば、ＭＡＣヘッダに含まれる「ＬＩ」の数を、ＭＡＣ-ＰＤＵに多重化される情報要素の数よりも１つ少なくすることができるため、高速パケット通信において、多重化するＭＡＣ-ＰＤＵのサイズを示す「ＬＩ」によるオーバヘッドの増加を軽減することができる。
【００８６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【産業上の利用の可能性】
【００８７】
以上説明したように、本発明によれば、高速パケット通信において、多重化するデータユニットのサイズを示す情報によるオーバヘッドの増加を軽減することを可能とする送信機、受信機、移動局及び無線基地局を提供することができる。
【符号の説明】
【００８８】
ＮｏｄｅＢ…無線基地局、ＵＥ…移動局、ｅＮｏｄｅＢ…無線基地局、１０…送信機、１１…ＭＡＣ-ＳＤＵ受信部、１２…ＭＡＣ-ＰＤＵ生成部、１３…ＭＡＣ-ＰＤＵ送信部１３、３０…受信機、３１…ＭＡＣ-ＰＤＵ受信部、３２…ＭＡＣ-ＰＤＵサイズ情報取得部、３３…ＭＡＣヘッダ解析部、３４…ＭＡＣ-ＳＤＵ送信部
【図１】
2010206839.tif 000003
【図２】
2010206839.tif 000004
【図３】
2010206839.tif 000005
【図４】
2010206839.tif 000006
【図５】
2010206839.tif 000007
【図６】
2010206839.tif 000008
【図７】
2010206839.tif 000009
【図８】
2010206839.tif 000010
【図９】
2010206839.tif 000011
【図１０】
2010206839.tif 000012
【図１１】
2010206839.tif 000013
【図１２】
2010206839.tif 000014
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
ＭＡＣレイヤにおいて、ＲＬＣレイヤから受信した可変長のＭＡＣ-ＳＤＵ、制御情報、パディング情報のいずれかである１つ又は複数の情報要素を用いて、ＭＡＣ-ＰＤＵを生成するように構成されているＭＡＣ-ＰＤＵ生成部と、
生成された前記ＭＡＣ-ＰＤＵを送信するように構成されているＭＡＣ-ＰＤＵ送信部とを具備し、
前記ＭＡＣ-ＰＤＵ生成部は、前記ＭＡＣ-ＰＤＵに、１つの制御情報及び１つのパディング情報のみを多重化する場合、前記ヘッダ情報内に、前記情報要素のサイズを示す情報要素サイズ情報を含めないように構成されていることを特徴とする送信機。
【請求項２】
物理レイヤから、ＭＡＣ-ＰＤＵのサイズを示すＭＡＣ-ＰＤＵサイズ情報を取得するように構成されているＭＡＣ-ＰＤＵサイズ情報取得部と、
ＭＡＣレイヤにおいて受信した前記ＭＡＣ-ＰＤＵのヘッダ情報に含まれている情報要素サイズ情報及び取得した前記ＭＡＣ-ＰＤＵサイズ情報に基づいて、該ＭＡＣ-ＰＤＵに多重化されている情報要素のサイズを検出するように構成されているヘッダ情報解析部と、
検出された前記情報要素のサイズに基づいて、前記ＭＡＣ-ＰＤＵから該情報要素を抽出するように構成されている抽出部とを具備し、
前記情報要素サイズ情報は、ＭＡＣ-ＳＤＵ、制御情報、パディング情報のいずれかである情報要素のサイズを示し、
前記ヘッダ情報に含まれる前記情報要素サイズ情報の数は、前記ＭＡＣ-ＰＤＵに多重化されている前記情報要素の数よりも１つ少ないことを特徴とする受信機。
【請求項３】
物理レイヤから、ＭＡＣ-ＰＤＵのサイズを示すＭＡＣ-ＰＤＵサイズ情報を取得するように構成されているＭＡＣ-ＰＤＵサイズ情報取得部と、
ＭＡＣレイヤにおいて受信した前記ＭＡＣ-ＰＤＵのヘッダ情報に情報要素サイズ情報が含まれていない場合、取得した前記ＭＡＣ-ＰＤＵサイズ情報によって示されている該ＭＡＣ-ＰＤＵのサイズ及び該ヘッダ情報のサイズに基づいて、該ＭＡＣ-ＰＤＵに多重化されている１つのＭＡＣ-ＳＤＵのサイズを検出するように構成されているヘッダ情報解析部と、
検出された前記ＭＡＣ-ＳＤＵのサイズに基づいて、前記ＭＡＣ-ＰＤＵから該ＭＡＣ-ＳＤＵを抽出するように構成されている抽出部とを具備し、
前記情報要素サイズ情報は、ＭＡＣ-ＳＤＵ、制御情報、パディング情報のいずれかである情報要素のサイズを示し、
前記ヘッダ情報に含まれる前記情報要素サイズ情報の数は、前記ＭＡＣ-ＰＤＵに多重化されている前記情報要素の数よりも１つ少ないことを特徴とする受信機。
【請求項４】
物理レイヤから、ＭＡＣ-ＰＤＵのサイズを示すＭＡＣ-ＰＤＵサイズ情報を取得するように構成されているＭＡＣ-ＰＤＵサイズ情報取得部と、
ＭＡＣレイヤにおいて受信した前記ＭＡＣ-ＰＤＵのヘッダ情報に情報要素サイズ情報が含まれていない場合、取得した前記ＭＡＣ-ＰＤＵサイズ情報によって示されている該ＭＡＣ-ＰＤＵのサイズ及び該ヘッダ情報のサイズに基づいて、該ＭＡＣ-ＰＤＵに多重化されている１つの制御情報のサイズ及び１つのパディング情報のサイズの少なくともいずれかを検出するように構成されているヘッダ情報解析部と、
検出された前記サイズに基づいて、前記ＭＡＣ-ＰＤＵから前記制御情報を抽出するように構成されている抽出部とを具備し、
前記情報要素サイズ情報は、ＭＡＣ-ＳＤＵ、制御情報、パディング情報のいずれかである情報要素のサイズを示し、
前記ヘッダ情報に含まれる前記情報要素サイズ情報の数は、前記ＭＡＣ-ＰＤＵに多重化されている前記情報要素の数よりも１つ少ないことを特徴とする受信機。
【請求項５】
ＭＡＣレイヤにおいて、ＲＬＣレイヤから受信した可変長のＭＡＣ-ＳＤＵ、制御情報、パディング情報のいずれかである１つ又は複数の情報要素を用いて、ＭＡＣ-ＰＤＵを生成するように構成されているＭＡＣ-ＰＤＵ生成部と、
生成された前記ＭＡＣ-ＰＤＵを送信するように構成されているＭＡＣ-ＰＤＵ送信部とを具備し、
前記ＭＡＣ-ＰＤＵ生成部は、前記ＭＡＣ-ＰＤＵに、１つの制御情報及び１つのパディング情報のみを多重化する場合、前記ヘッダ情報内に、前記情報要素のサイズを示す情報要素サイズ情報を含めないように構成されていることを特徴とする移動局。
【請求項６】
ＭＡＣレイヤにおいて、ＲＬＣレイヤから受信した可変長のＭＡＣ-ＳＤＵ、制御情報、パディング情報のいずれかである１つ又は複数の情報要素を用いて、ＭＡＣ-ＰＤＵを生成するように構成されているＭＡＣ-ＰＤＵ生成部と、
生成された前記ＭＡＣ-ＰＤＵを送信するように構成されているＭＡＣ-ＰＤＵ送信部とを具備し、
前記ＭＡＣ-ＰＤＵ生成部は、前記ＭＡＣ-ＰＤＵに、１つの制御情報及び１つのパディング情報のみを多重化する場合、前記ヘッダ情報内に、前記情報要素のサイズを示す情報要素サイズ情報を含めないように構成されていることを特徴とする無線基地局。
【請求項７】
物理レイヤから、ＭＡＣ-ＰＤＵのサイズを示すＭＡＣ-ＰＤＵサイズ情報を取得するように構成されているＭＡＣ-ＰＤＵサイズ情報取得部と、
ＭＡＣレイヤにおいて受信した前記ＭＡＣ-ＰＤＵのヘッダ情報に含まれている情報要素サイズ情報及び取得した前記ＭＡＣ-ＰＤＵサイズ情報に基づいて、前記ＭＡＣ-ＰＤＵに多重化されている情報要素のサイズを検出するように構成されているヘッダ情報解析部と、
検出された前記情報要素のサイズに基づいて、前記ＭＡＣ-ＰＤＵから該情報要素を抽出するように構成されている抽出部とを具備し、
前記情報要素サイズ情報は、ＭＡＣ-ＳＤＵ、制御情報、パディング情報のいずれかである情報要素のサイズを示し、
前記ヘッダ情報に含まれる前記情報要素サイズ情報の数は、前記ＭＡＣ-ＰＤＵに多重化されている前記情報要素の数よりも１つ少ないことを特徴とする移動局。
【請求項８】
物理レイヤから、ＭＡＣ-ＰＤＵのサイズを示すＭＡＣ-ＰＤＵサイズ情報を取得するように構成されているＭＡＣ-ＰＤＵサイズ情報取得部と、
ＭＡＣレイヤにおいて受信した前記ＭＡＣ-ＰＤＵのヘッダ情報に情報要素サイズ情報が含まれていない場合、取得した前記ＭＡＣ-ＰＤＵサイズ情報によって示されている該ＭＡＣ-ＰＤＵのサイズ及び該ヘッダ情報のサイズに基づいて、該ＭＡＣ-ＰＤＵに多重化されている１つのＭＡＣ-ＳＤＵのサイズを検出するように構成されているヘッダ情報解析部と、
検出された前記ＭＡＣ-ＳＤＵのサイズに基づいて、前記ＭＡＣ-ＰＤＵから該ＭＡＣ-ＳＤＵを抽出するように構成されている抽出部とを具備し、
前記情報要素サイズ情報は、ＭＡＣ-ＳＤＵ、制御情報、パディング情報のいずれかである情報要素のサイズを示し、
前記ヘッダ情報に含まれる前記情報要素サイズ情報の数は、前記ＭＡＣ-ＰＤＵに多重化されている前記情報要素の数よりも１つ少ないことを特徴とする移動局。
【請求項９】
物理レイヤから、ＭＡＣ-ＰＤＵのサイズを示すＭＡＣ-ＰＤＵサイズ情報を取得するように構成されているＭＡＣ-ＰＤＵサイズ情報取得部と、
ＭＡＣレイヤにおいて受信した前記ＭＡＣ-ＰＤＵのヘッダ情報に情報要素サイズ情報が含まれていない場合、取得した前記ＭＡＣ-ＰＤＵサイズ情報によって示されている該ＭＡＣ-ＰＤＵのサイズ及び該ヘッダ情報のサイズに基づいて、該ＭＡＣ-ＰＤＵに多重化されている１つの制御情報のサイズ及び１つのパディング情報のサイズの少なくともいずれかを検出するように構成されているヘッダ情報解析部と、
検出された前記サイズに基づいて、前記ＭＡＣ-ＰＤＵから前記制御情報を抽出するように構成されている抽出部とを具備し、
前記情報要素サイズ情報は、ＭＡＣ-ＳＤＵ、制御情報、パディング情報のいずれかである情報要素のサイズを示し、
前記ヘッダ情報に含まれる前記情報要素サイズ情報の数は、前記ＭＡＣ-ＰＤＵに多重化されている前記情報要素の数よりも１つ少ないことを特徴とする移動局。
【請求項１０】
物理レイヤから、ＭＡＣ-ＰＤＵのサイズを示すＭＡＣ-ＰＤＵサイズ情報を取得するように構成されているＭＡＣ-ＰＤＵサイズ情報取得部と、
前記ＭＡＣレイヤにおいて受信した前記ＭＡＣ-ＰＤＵのヘッダ情報に含まれている情報要素サイズ情報及び取得した前記ＭＡＣ-ＰＤＵサイズ情報に基づいて、前記ＭＡＣ-ＰＤＵに多重化されている情報要素のサイズを検出するように構成されているヘッダ情報解析部と、
検出された前記情報要素のサイズに基づいて、前記ＭＡＣ-ＰＤＵから該情報要素を抽出するように構成されている抽出部とを具備し、
前記情報要素サイズ情報は、ＭＡＣ-ＳＤＵ、制御情報、パディング情報のいずれかである情報要素のサイズを示し、
前記ヘッダ情報に含まれる前記情報要素サイズ情報の数は、前記ＭＡＣ-ＰＤＵに多重化されている前記情報要素の数よりも１つ少ないことを特徴とする無線基地局。
【請求項１１】
物理レイヤから、ＭＡＣ-ＰＤＵのサイズを示すＭＡＣ-ＰＤＵサイズ情報を取得するように構成されているＭＡＣ-ＰＤＵサイズ情報取得部と、
前記ＭＡＣレイヤにおいて受信した前記ＭＡＣ-ＰＤＵのヘッダ情報に情報要素サイズ情報が含まれていない場合、取得した前記ＭＡＣ-ＰＤＵサイズ情報によって示されている該ＭＡＣ-ＰＤＵのサイズ及び該ヘッダ情報のサイズに基づいて、前記ＭＡＣ-ＰＤＵに多重化されている１つのＭＡＣ-ＳＤＵのサイズを検出するように構成されているヘッダ情報解析部と、
検出された前記ＭＡＣ-ＳＤＵのサイズに基づいて、前記ＭＡＣ-ＰＤＵから該ＭＡＣ-ＳＤＵを抽出するように構成されている抽出部とを具備し、
前記情報要素サイズ情報は、ＭＡＣ-ＳＤＵ、制御情報、パディング情報のいずれかである情報要素のサイズを示し、
前記ヘッダ情報に含まれる前記情報要素サイズ情報の数は、前記ＭＡＣ-ＰＤＵに多重化されている前記情報要素の数よりも１つ少ないことを特徴とする無線基地局。
【請求項１２】
物理レイヤから、ＭＡＣ-ＰＤＵのサイズを示すＭＡＣ-ＰＤＵサイズ情報を取得するように構成されているＭＡＣ-ＰＤＵサイズ情報取得部と、
前記ＭＡＣレイヤにおいて受信した前記ＭＡＣ-ＰＤＵのヘッダ情報に情報要素サイズ情報が含まれていない場合、取得した前記ＭＡＣ-ＰＤＵサイズ情報によって示されている該ＭＡＣ-ＰＤＵのサイズ及び該ヘッダ情報のサイズに基づいて、該ＭＡＣ-ＰＤＵに多重化されている１つの制御情報のサイズ及び１つのパディング情報のサイズの少なくともいずれかを検出するように構成されているヘッダ情報解析部と、
検出された前記サイズに基づいて、前記ＭＡＣ-ＰＤＵから前記制御情報を抽出するように構成されている抽出部とを具備し、
前記情報要素サイズ情報は、ＭＡＣ-ＳＤＵ、制御情報、パディング情報のいずれかである情報要素のサイズを示し、
前記ヘッダ情報に含まれる前記情報要素サイズ情報の数は、前記ＭＡＣ-ＰＤＵに多重化されている前記情報要素の数よりも１つ少ないことを特徴とする無線基地局。